(57)【要約】【課題】シール栓の損傷を防止する。【解決手段】電線６０の端末に嵌着された円筒状のシール栓７０を受ける基部１１と、この基部１１の両側縁から突出する一対のかしめ片１４Ｆ，１４Ｒとを備え、各かしめ片１４Ｆ，１４Ｒがシール栓７０の外周面における前後に異なる部位に対してかしめ付けられる。基部１１は、各かしめ片１４Ｆ，１４Ｒが接続される部位からシール栓７０の外周面の周方向下半部に沿って配置され、かつ各かしめ片１４Ｆ，１４Ｒの先端と周方向で対向する他側縁１６Ｅがシール栓７０の外周面の上半部側に位置する受け部１６Ｆ，１６Ｒを有している。【選択図】図１
2008262842.tif 000002
【特許請求の範囲】
【請求項１】
電線の端末に嵌着された円筒状のシール栓の下半部を受ける基部と、この基部の両側縁から突出する一対のかしめ片とを備え、各かしめ片が前記シール栓の外周面における前後に異なる部位に対してかしめ付けられる端子金具であって、
前記基部における前記各かしめ片の先端と周方向で対向する側縁は、上下方向について前記シール栓の最大幅の高さ位置よりも上方に位置していることを特徴とする端子金具。
【請求項２】
前記基部における前記各かしめ片の先端と周方向で対向する側縁は、前後に同じ高さ位置で連なる部分を有していることを特徴とする請求項１に記載の端子金具。
【発明の詳細な説明】
【技術分野】
【０００１】
本発明は、端子金具に関する。
【背景技術】
【０００２】
端子金具には、電線の端末に嵌着された円筒状のシール栓を受ける基部と、この基部の両側縁から突出する一対のかしめ片とを備え、各かしめ片がシール栓の外周面の前後異なる位置に対してかしめ付けられる構成としたものが知られている（例えば、特許文献１を参照）。この種の端子金具を曲げ加工するに際し、固定治具に基部を支持させた状態で上方から可動治具を下降させ、その下降の過程でかしめ片を内側へ回曲させるようにしている。こうしてかしめ片がシール栓の外周面に捲回されることで、端子金具とシール栓とが一体化されるようになっている。
【特許文献１】特開２００２−２０３６３６公報
【発明の開示】
【発明が解決しようとする課題】
【０００３】
上記の端子金具の場合、図５に示すように、基部２の両側縁のうち各かしめ片４と対向する側縁２Ａが、シール栓３の下半部側にあって外向き円弧の先端に位置している。そのため、図６に示すように、下降する可動治具１と基部２の側縁２Ａとの間に、シール栓３が噛み込まれて損傷するおそれがある。
【０００４】
本発明は上記のような事情に基づいて完成されたものであって、シール栓の損傷を防止することを目的とする。
【課題を解決するための手段】
【０００５】
上記の目的を達成するための手段として、請求項１の発明は、電線の端末に嵌着された円筒状のシール栓の下半部を受ける基部と、この基部の両側縁から突出する一対のかしめ片とを備え、各かしめ片が前記シール栓の外周面における前後に異なる部位に対してかしめ付けられる端子金具であって、前記基部における前記各かしめ片の先端と周方向で対向する側縁は、上下方向について前記シール栓の最大幅の高さ位置よりも上方に位置している構成としたところに特徴を有する。
【０００６】
請求項２の発明は、請求項１に記載のものにおいて、前記基部における前記各かしめ片の先端と周方向で対向する側縁は、前後に同じ高さ位置で連なる部分を有しているところに特徴を有する。
【発明の効果】
【０００７】
＜請求項１の発明＞
基部における各かしめ片の先端と周方向で対向する側縁は上下方向についてシール栓の最大幅の高さ位置よりも上方に位置しているから、上方から可動治具が下降してきたときに、基部の側縁が可動治具の内側へ円滑に包み込まれ、可動治具と基部の側縁との間にシール栓が噛み込まれるのを回避できる。
【０００８】
＜請求項２の発明＞
各かしめ片の先端と周方向で対向する側縁が前後に同じ高さ位置で連なる部分を有しているから、シール栓に対して適切な圧着力を付与することができる。
【発明を実施するための最良の形態】
【０００９】
＜実施形態１＞
本発明の実施形態１を図１ないし図４によって説明する。本実施形態の端子金具１０は、雌側端子金具を例示するものであり、導電性の金属板を曲げ加工等して形成される。そして、この端子金具１０は、図示しない雌型コネクタに収容され、この雌型コネクタと相手側の雄型コネクタとの嵌合によって雄側端子金具と導通可能に接続される。なお、以下において上下方向については、この端子金具１０を曲げ加工する際に固定治具８０が配置される側を下方、可動治具９０が配置される側を上方として説明する。
【００１０】
端子金具１０は前後方向に細長い基部１１を有している。基部１１の前部側には本体部１２が形成され、基部１１の後部側には圧着部１３，１４が形成されている。本体部１２は、前方に開口した箱状、詳細には四角筒状をなし、内部に、前方から挿入される相手側の雄側端子金具と接触する部分を有している。
【００１１】
圧着部１３，１４は、電線６０の端末に接続され、前側に位置するワイヤバレル１３と後側に位置するインシュレーションバレル１４とからなる。ワイヤバレル１３は電線６０の端末にて露出する芯線６１にかしめ付けられる一対の圧着片１３Ａを備えている。各圧着片１３Ａは、前後で同じ位置に対向して配置され、かしめ付けに伴って略Ｕの字に回曲された基部１１の後部側における両側縁から突出する形態となっている。
【００１２】
ここで、電線６０の端末被覆にはシール栓７０が嵌着されている。シール栓７０はゴム製であって全体として円筒状をなし、雌型コネクタに形成されたキャビティの内周面に圧着されてキャビティ内を防水する役割を担っている。シール栓７０の前端部には、基部１１の後部側によって下から受け止められるとともにインシュレーションバレル１４によって上から捲着される被取付部７１が断面真円形でかつ薄肉状に形成されている。被取付部７１の後方には複数条のリップ７２が並設されている。
【００１３】
インシュレーションバレル１４は、基部１１の後部側における両側縁から突出する一対のかしめ片１４Ｆ，１４Ｒを備えている。詳しくは各かしめ片１４Ｆ，１４Ｒは、基部１１の後部側における左側の側縁から突出する前側かしめ片１４Ｆと、右側の側縁から突出する後側かしめ片１４Ｒとからなり、前後方向について前側かしめ片１４Ｆが後側かしめ片１４Ｒよりも前方に位置するように設定されている。つまり、各かしめ片１４Ｆ，１４Ｒは、被取付部７１の外周面の前後異なる部位に対してかしめ付けられる配置とされ、前側かしめ片１４Ｆが被取付部７１の前部側に捲着され、後側かしめ片１４Ｒが被取付部７１の後部側に捲着される。  
また、各かしめ片１４Ｆ，１４Ｒは、被取付部７１の外周面の上半部（被取付部７１の中心角１８０度の水平軸（本発明の最大幅を構成する部分）を境として上側に位置する外周面）に沿って周方向に延びる方形板状をなし、正面視すると互いの先端部同士が重なり合うラップ配置となっている。
【００１４】
基部１１の後部側は、各かしめ片１４Ｆ，１４Ｒの根元から被取付部７１の外周面の下半部（被取付部７１の中心角１８０度の水平軸（本発明の最大幅を構成する部分）を境として下側に位置する外周面）に沿って周方向に連続して配置される前後一対の受け部１６Ｆ，１６Ｒを有している。詳しくは各受け部１６Ｆ，１６Ｒは、前側かしめ片１４Ｆと対応する前側受け部１６Ｆと、後側かしめ片１４Ｒと対応する後側受け部１６Ｒとからなり、前側受け部１６Ｆが後側受け部１６Ｒよりも前方に位置し、互いに前後で一体に連なっている。各受け部１６Ｆ，１６Ｒの両側縁のうち、各かしめ片１４Ｆ，１４Ｒが突出する一側縁と反対側の他側縁１６Ｅは、対応する各かしめ片１４Ｆ，１４Ｒの先端と周方向でほぼ平行に対向する位置関係にある。
【００１５】
そして、基部１１の他側縁１６Ｅは、被取付部７１の外周面の上半部に沿いつつかしめ片１４Ｆ，１４Ｒ側へ近づくような内向き円弧の先端にあって、図１に示すように、シール栓７０の上下方向（高さ方向）中央の中心線Ｘ（最大幅と同じ高さの線）よりも上方に位置している。端的には、基部１１の他側縁１６Ｅは、被取付部７１の外周面の上半部側に位置している。
【００１６】
また、各受け部１６Ｆ，１６Ｒの他側縁１６Ｅは前後方向に同じ高さで連なる部分を有し、かつ、前側受け部１６Ｆの他側縁１６Ｅと後側受け部１６Ｒの他側縁１６Ｅとは互いに同じ高さで連なる部分を有している。なお、基部１１には、前側かしめ片１４Ｆを挟んで後側受け部１６Ｒとは反対側となる前端部に、ワイヤバレル１３側と段付き状に連なる段部１８が形成されており、この段部１８の側縁も各受け部１６Ｆ，１６Ｒの他側縁１６Ｅと同じ高さに配置されている。
【００１７】
次に、本実施形態の作用効果を説明する。  
まず、各かしめ片１４Ｆ，１４Ｒをオープンバレル状に拡開させた状態で、インシュレーションバレル１４側の基部１１に対し、電線６０の端末に嵌着されたシール栓７０の被取付部７１を支持させる。続いて、図３に示すように、曲げ加工用の固定治具８０の収容凹部８１にインシュレーションバレル１４を挿入し、その状態で上方から可動治具９０を固定治具８０側へ略垂直に降下させる。すると、可動治具９０の内下面において円弧状に形成された押さえ面９１が各かしめ片１４Ｆ，１４Ｒの外面と当接することで、各かしめ片１４Ｆ，１４Ｒが内側へ傾倒され、さらなる可動治具９０の下降に伴い、各かしめ片１４Ｆ，１４Ｒが可動治具９０の押さえ面９１に沿いつつシール栓７０の被取付部７１の外周面に巻き付けられてゆく。この間、各かしめ片１４Ｆ，１４Ｒと同様に、可動治具９０の押さえ面９１が各受け部１６Ｆ，１６Ｒの他側縁１６Ｅの外面と当接し、各受け部１６Ｆ，１６Ｒの他側縁１６Ｅが押さえ面９１に摺接しつつ内側へ傾倒される。
【００１８】
可動治具９０が正規深さに至ると、図４に示すように、回曲された各かしめ片１４Ｆ，１４Ｒが被取付部７１の外周面にかしめ付けられ、かつ、各受け部１６Ｆ，１６Ｒの他側縁１６Ｅが被取付部７１の外周面に密着される。このとき、被取付部７１の左右両側は可動治具９０の押さえ面９１により内側へ押されて圧潰され、当初真円形であった被取付部７１の外縁形状は縦長の楕円形に変形される。同様に、各かしめ片１４Ｆ，１４Ｒと受け部１６Ｆ，１６Ｒとは縦長のＣの字形を呈するようになる。このようにシール栓７０及びインシュレーションバレル１４が縦長に形成されるのは、この端子金具１０が収容される雌型コネクタのキャビティ間を狭ピッチに詰めるためである。
【００１９】
上記の場合、シール栓７０に対してその変形を伴わせる大きな押圧力が可動治具９０から付与されるため、各受け部１６Ｆ，１６Ｒの他側縁１６Ｅと可動治具９０の押さえ面９１との間（Ｃの字の空いた部分）に万一シール栓７０が噛み込まれると、シール栓７０が切れる等して損傷の程度が甚大となる危険性がある。
【００２０】
しかるに本実施形態によれば、各受け部１６Ｆ，１６Ｒの他側縁１６Ｅが被取付部７１の外周面の上半部側に位置することにより、可動治具９０の下降に伴って可動治具９０の押さえ面９１側へ円滑に内包されるから、可動治具９０によってシール栓７０が損傷するのを防止できる。また、受け部１６Ｆ，１６Ｒの他側縁１６Ｅが前後に同じ高さで連なる部分を有しているから、シール栓７０に対して適切な圧着力を付与することができる。
【００２１】
＜他の実施形態＞
本発明は上記記述及び図面によって説明した実施形態に限定されるものではなく、例えば次のような実施形態も本発明の技術的範囲に含まれる。  
（１）前側かしめ片が基部の右側の側縁から突成され、後側かしめ片が基部の左側の側縁から突成されていてもよい。  
（２）受け部の他側縁は前後で異なる高さの曲線状をなしていてもよい。  
（３）受け部は部分的に肉抜きされていても構わない。
（４）被取付部は断面円形であればよく断面真円形である必要はない。
（５）本発明は、雄端子金具に適用可能である。
【図面の簡単な説明】
【００２２】
【図１】本発明の実施形態１において、電線及びシール栓に接続された端子金具の側面図
【図２】電線及びシール栓に接続された端子金具の平面図
【図３】かしめ片がシール栓にかしめ付けられる途中の状態を示す縦断面図
【図４】かしめ片がシール栓にかしめ付けられた状態を示す縦断面図
【図５】従来例を説明するための図３相当の縦断面図
【図６】従来例を説明するための要部拡大縦断図
【符号の説明】
【００２３】
１０…端子金具
１２…本体部
１４…インシュレーションバレル
１４Ｆ…前側かしめ片
１４Ｒ…後側かしめ片
１６Ｆ…前側受け部
１６Ｒ…後側受け部
１６Ｅ…受け部の他側縁（各かしめ片の先端と周方向で対向する側縁）
６０…電線
７０…シール栓
７１…被取付部
【図１】
2008262842.tif 000003
【図２】
2008262842.tif 000004
【図３】
2008262842.tif 000005
【図４】
2008262842.tif 000006
【図５】
2008262842.tif 000007
【図６】
2008262842.tif 000008